(57)【要約】本発明は、一つのフレーム内で上りリンク及び下りリンクを通してデータを伝送する直交周波数分割多重接続(ＯＦＤＭＡ)方式を用いる無線通信システムにおいて、放送サービスデータを伝送するための方法及びシステムを提供する。前記システムは放送サーバーに連結される。前記システム及び方法は、前記下りリンクを介して伝送される放送サービスパケットの識別のために各放送サービスに連結識別子(ＣＩＤ)を割り当て、各放送サービスのための放送サービス情報を伝送するステップと、前記放送サーバーから放送パケットを受信し、前記放送パケットのための放送サービスＣＩＤを含む物理階層伝送情報要素(ＤＬ−ＭＡＰ)を前記下りリンクを介して伝送するステップとを含む。
2007536791.tif 000002
【特許請求の範囲】
【請求項１】
無線通信システムにおける直交周波数分割多重接続(ＯＦＤＭＡ)方式により放送サービスデータを送信するための方法であって、
放送データと、放送パケットのための放送サービス連結識別子(ＣＩＤ)と、前記放送パケットが提供されるデータ地域を示す情報とからなる物理階層伝送情報要素(ＤＬ＿ＭＡＰ)を含むフレームを生成するステップと、
少なくとも一つの移動端末に前記フレームを伝送するステップとを含み、
前記フレームは、放送サービスの次の伝送に関連した情報を含む放送構成メッセージをさらに含むことを特徴とする方法。
【請求項２】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項１に記載の方法。
【請求項３】
前記次の伝送に関連した情報は、提供される放送サービスの現在フレーム及び次のフレーム間の差を示すオフセット値と、前記フレーム間の期間を示す期間値とを含むことを特徴とする、請求項１に記載の方法。
【請求項４】
前記システムは、電気電子技術学会(ＩＥＥＥ)８０２.１６標準を支援することを特徴とする、請求項１に記載の方法。
【請求項５】
ＯＦＤＭＡ方式を使用する無線通信システムにおける放送サービスデータを受信するための方法であって、
放送データと、放送パケットのための放送サービス連結識別子(ＣＩＤ)と、放送パケットが提供されるデータ地域を示す情報とからなる物理階層伝送情報要素(ＤＬ＿ＭＡＰ)を含むフレームを受信するステップと、
前記フレームは、放送サービスの次の伝送に関連した情報を含む放送構成メッセージをさらに含み、
次の伝送情報による放送パケットを含む次のフレームを受信するステップとを含むことを特徴とする方法。
【請求項６】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項５に記載の方法。
【請求項７】
前記次の伝送に関連した情報は、提供される放送サービスの現在フレーム及び次のフレーム間の差を示すオフセット値と、前記フレーム間の期間を示す期間値とを含むことを特徴とする、請求項５に記載の方法。
【請求項８】
前記期間値によって放送パケットを含むフレームを定期的に受信するステップをさらに含むことを特徴とする、請求項７に記載の方法。
【請求項９】
前記システムは、ＩＥＥＥ８０２.１６標準を支援することを特徴とする、請求項５に記載の方法。
【請求項１０】
ＯＦＤＭＡ方式を使用する無線通信システムにおける放送サービスデータを送信するための方法であって、
放送データと、放送パケットのための放送サービス連結識別子(ＣＩＤ)と、放送情報が提供されるデータ地域を示す情報とからなる物理階層送信情報要素(ＤＬ＿ＭＡＰ)を示すフレームを送信するステップを含み、
前記物理階層送信情報要素(ＤＬ＿ＭＡＰ)は、提供される放送サービスの現在フレーム及び次のフレーム間の差を示すオフセット値を含む放送マップ(ＭＡＰ)情報要素をさらに含むことを特徴とする方法。
【請求項１１】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項１０に記載の方法。
【請求項１２】
前記システムは、ＩＥＥＥ８０２.１６標準を支援することを特徴とする、請求項１０に記載の方法。
【請求項１３】
ＯＦＤＭＡ方式を使用する無線通信システムにおける放送サービスデータを受信するための方法であって、
放送データと、放送パケットのための放送サービス連結識別子(ＣＩＤ)と、放送パケットが提供されるデータ地域を示す情報とからなる物理階層送信情報要素(ＤＬ＿ＭＡＰ)を示すフレームを受信するステップを含み、
前記ＤＬ＿ＭＡＰは、提供される放送サービスの現在フレーム及び次のフレーム間の差を示すオフセット値を含む放送マップ(ＭＡＰ)情報要素をさらに含み、
前記オフセット値によって放送パケットを含む次のフレームを受信するステップを含むことを特徴とする方法。
【請求項１４】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項１３に記載の方法。
【請求項１５】
前記システムは、ＩＥＥＥ８０２.１６標準を支援することを特徴とする、請求項１３に記載の方法。
【請求項１６】
ＯＦＤＭＡ方式を使用する無線通信システムにおける放送サービスデータを送信するための方法であって、
放送データと、放送パケットのための放送サービス連結識別子(ＣＩＤ)と、放送情報が提供されるデータ地域を示す情報とからなる物理階層送信情報要素(ＤＬ＿ＭＡＰ)を含むフレームを送信するステップを含み、
前記放送パケットは、提供される放送サービスの現在フレーム及び次のフレーム間の差を示すオフセット値を含むマック(ＭＡＣ)階層ヘッダを含むことを特徴とする方法。
【請求項１７】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項１６に記載の方法。
【請求項１８】
マック(ＭＡＣ)階層ヘッダは、前記ＣＩＤをさらに含むことを特徴とする、請求項１６に記載の方法。
【請求項１９】
前記システムは、ＩＥＥＥ８０２.１６標準を支援することを特徴とする、請求項１６に記載の方法。
【請求項２０】
ＯＦＤＭＡ方式を使用する無線通信システムにおける放送サービスデータを受信するための方法であって、
放送データと、放送パケットのための放送サービス連結識別子(ＣＩＤ)と、放送パケットが提供されるデータ地域を示す情報とからなる物理階層送信情報要素(ＤＬ＿ＭＡＰ)を含むフレームを受信するステップを含み、
前記放送パケットは、提供される放送サービスの現在フレーム及び次のフレーム間の差を示すオフセット値を示すマック(ＭＡＣ)階層ヘッダを含み、
前記オフセット値によって放送パケットを含む次のフレームを受信するステップを含むことを特徴とする方法。
【請求項２１】
前記データ地域情報は、ＯＦＤＭＡシンボルのオフセットと、ＯＦＤＭＡシンボルの数と、サブチャンネルのオフセットと、サブチャンネルの数とを含むことを特徴とする、請求項２０に記載の方法。
【請求項２２】
前記マック階層ヘッダは、前記ＣＩＤをさらに含むことを特徴とする、請求項２０に記載の方法。
【請求項２３】
前記システムは、ＩＥＥＥ８０２.１６標準を支援することを特徴とする、請求項２０に記載の方法。
【請求項２４】
ＯＦＤＭＡ方式を使用する無線通信システムにおける放送サービスデータを伝送するためのシステムであって、
放送データと、放送パケットのための放送サービス連結識別子(ＣＩＤ)と、放送パケットが提供されるデータ地域表示情報とからなる物理階層伝送情報要素(ＤＬ＿ＭＡＰ)を含むフレームを送信する送信機と、
前記フレームは、次の送信時間情報を含み、
前記次の伝送時間情報によって放送パケットを含むフレームを受信する受信機とを含むことを特徴とするシステム。
【請求項２５】
前記次の伝送時間情報は、提供される放送サービスの現在フレーム及び次のフレーム間の差を示すオフセット値と、前記フレーム間の期間を示す期間値とを含むことを特徴とする、請求項２２に記載のシステム。
【発明の詳細な説明】
【技術分野】
【０００１】
本発明は無線通信システムにおけるデータの送信／受信方法及びシステムに関し、特に、無線通信システムにおける放送サービスデータの送信／受信方法及びシステムに関する。
【背景技術】
【０００２】
通常、無線通信システムにおけるデータは、一つの端末(ＳＳ；Subscriber  Station)やシステムから他の一つのＳＳやシステムに伝送されるユニキャスト(Unicast)データをいう。このように、一つのＳＳだけで受信できるように伝送されるユニキャストデータは、ユーザーの要求により伝送されるものである。しかしながら、無線通信技術の発展に伴い、無線通信システムにおいても、公衆網で提供されるような放送サービスが要求されている。このような放送サービスの特徴は、ユニキャスト伝送サービスとは異なり、複数のＳＳが一つのトラフィックを受信する形態のサービスを意味する。
【０００３】
一方、無線通信システムの代表例としては、セルラー方式を用いる移動通信システムがある。このようなセルラーシステムは、音声通信だけを提供する形態から高速のデータ伝送を提供する形態に発展した。最近、第３世代移動通信システムのための標準化グループである３ＧＰＰ及び３ＧＰＰ２を用いて、移動通信システムで放送サービスを提供するための多くの研究が行われている。
【０００４】
しかしながら、移動通信システムは、データ伝送率のため、放送サービスを効率よく提供するのに困難がある。すなわち、移動通信システムは、基本的にコード分割多重接続(ＣＤＭＡ)方式を用い、使用周波数帯域も決まっている。ＣＤＭＡ方式の移動通信システムでは、ウォルッシュ・コードを用いて各データを拡散して伝送する。このようなウォルッシュ・コードはその資源が制限的であり、そのコード資源の拡張に困難がある。
よって、無線通信システムにおいて放送サービスを提供するために、コード分割多重接続以外の新たな方法が要求されている。
【発明の開示】
【発明が解決しようとする課題】
【０００５】
本発明の目的は、無線通信システムにおいて放送サービスを効率良く送信／受信する方法及びシステムを提供することにある。
本発明の他の目的は、無線通信システムにおいて放送サービスを高速に送信／受信する方法及びシステムを提供することにある。
本発明の更に他の目的は、移動通信システムにおいて拡散符号資源に影響を与えることなく、放送サービスを送信／受信する方法及びシステムを提供することにある。
【課題を解決するための手段】
【０００６】
前記目的を達成するための本発明の一態様によれば、直交周波数分割多重接続(ＯＦＤＭＡ)方式を使用し、一つのフレーム内に下りリンク及び上りリンクを介してデータが伝送され、放送サーバーに連結される無線通信システムにおける放送サービスデータを送信するための方法が提供される。この方法は、下りリンクを介して伝送される放送サービスパケットを識別するために各放送サービス毎に連結識別子を付与し、各放送サービスに対する放送サービス情報を伝送するステップと、前記放送サーバーから放送パケットを受信し、前記放送パケットの伝送時、該当する放送サービス連結識別子を物理階層伝送情報要素(ＤＬ−ＭＡＰ)に含んで前記下りリンクを介して伝送するステップとを含む。
【０００７】
また、前記目的を達成するための本発明の他の態様によれば、ＯＦＤＭＡ方式を使用し、一つのフレーム内に下りリンク及び上りリンクを介してデータが伝送され、放送サーバーに連結して放送サービスパケットを伝送するとき、放送サービス連結識別子を物理階層伝送情報要素(ＤＬ−ＭＡＰ)に含んで伝送する無線通信システムにおける放送サービスデータを受信するための方法が提供される。この方法は、前記無線通信システムから受信したい放送サービスに対する放送サービス情報を受信するステップと、前記下りリンクを介して受信されるフレームの物理階層伝送情報要素(ＤＬ−ＭＡＰ)から受信する放送サービス連結識別子を検出するステップと、前記放送サービス連結識別子が含まれたパケットを受信する場合、前記放送サービス連結識別子を用いて放送サービスパケットの位置情報を獲得して放送サービスパケットを受信するステップとを含む。
【０００８】
また、前記目的を達成するための本発明のさらに他の態様によれば、一つのフレーム内に下りリンク及び上りリンクを介してデータが伝送されるＯＦＤＭＡ方式を用いる無線通信システムにおける放送サービスデータを伝送するためのシステムが提供される。このシステムは、放送サービスデータを提供するための放送サーバーと、前記放送サーバーから放送コンテンツデータを受信し、受信された放送コンテンツデータをバッファに格納して、バッファに格納された放送コンテンツデータが所定の条件を満足させる場合、無線通信システムの下りリンクを通過させて、放送サービスパケットの構成情報及び放送サービスパケットを提供する放送サービスコントローラとを備える。 
【発明の効果】
【０００９】
本発明によれば、８０２.１６システムの方法を用いて高速の放送サービスを提供でき、動的又は準静的な方法により放送パケットを伝送することで、受信装置から電力を効率よく低減できる。
【発明を実施するための最良の形態】
【００１０】
以下、添付図面に基づき、本発明の好適な実施形態について詳細に説明する。図面において、同一の構成要素に対しては、同一の参照符号を付けたことに留意すべきである。
さらに、本発明の説明において、具体的なメッセージや信号などのような多くの特定事項が記載されているが、これは本発明の全般的な理解のためのものだけで、このような特定事項なしでも本発明が実施可能であることは、当該技術分野における通常の知識を有した者には自明である。また、本発明に関連した公知の機能や構成についての具体的な説明が、本発明の要旨を不明瞭にすると判断される場合には、その詳細な説明を省略する。
【００１１】
本発明では、無線通信システムにおいて放送サービスを提供するためのシステム及び方法について説明する。本発明では、ＩＥＥＥの８０２.１６システムの方式を用いるシステムに比べ、中低速の伝送率を持つ第３世代移動通信システムで提供する速度以上の高速に放送サービスを支援する。参照としてＩＥＥＥの８０２.１６方式は本明細書に含まされている。また、後述する本発明によるシステムでは、第３世代移動通信システムで使用する様々な物理階層技術と共に、直交周波数分割多重(ＯＦＤＭ：Orthogonal Frequency Division Multiplexing)方式について説明する。また、このようなシステムにおいて、効率良く電力消耗を低減できる方法についても説明する。
以下の説明順序によれば、第一に放送サービスの送信及び放送パケットの識別方法を、第二に連続的に放送サービスを受信する方法を、第三に効率良く受信電力を低減するための方法を、第四に動的な放送伝送方法で物理階層伝送情報要素を用いて受信電力の効率を上げる方法を、説明する。
【００１２】
＜[１]放送サービスの送信及び放送パケットの識別方法＞
ユニキャスト(unicast)を主目的とする高速無線通信システムにおいて放送サービスを支援するためには、伝送される物理階層フレームが放送パケットを含むか否か、特定パケットが放送パケットか否かを基地局(ＢＳ；Base Station)から指示すべきである。このために、ＢＳは、放送パケットが伝送される時点をＳＳに通知すべきである。他の方法として、ＢＳは、当該放送パケットが伝送される物理階層フレームに放送パケットが含まれていることを示す情報を記録して伝送することで、放送パケットが伝送される物理階層フレームを指示できる。よって、ＢＳは、物理階層フレームに含まれる各放送サービスの媒体接続制御(ＭＡＣ)階層パケットのヘッダに、放送に割り当てられた識別子を記録して、特定パケットが放送パケットであることを区分できる。
放送サービスパケットの識別方法として本発明で対象とする８０２.６システムでは、各放送サービスに特定連結識別子(ＣＩＤ：Connection ID)を付与し、付与されたＣＩＤを各放送パケットのＭＡＣパケットに記録して伝送できる。また、放送サービスが伝送される物理階層伝送情報要素(ＤＬ−ＭＡＰ)に、放送サービスが伝達されることを示す情報を記録することで、ＤＬ−ＭＡＰを受信したＳＳが当該フレームに放送パケットを含むか否かが分かるようにする方法を使用できる。
【００１３】
図１は、８０２.１６システムで使用する一般のＤＬ−ＭＡＰの構造を示す図である。また、図１のＤＬ−ＭＡＰは、下りリンクのマップ(ＤＬＭＡＰ)情報を示すものである。図１を参照して、８０２.１６システムで使用される一般のＤＬ−ＭＡＰの構造について説明する。
図１において、“DIUC”フィールドは、８０２.１６システムで広く使用される送信類型を示し、ＤＬ−ＭＡＰに表示されたチャンネルの下りリンク送信類型を示す。“INC_CID”フィールドは、当該物理階層伝送情報要素にＣＩＤが含まれているか否かを示す。“N_CID”フィールドは、当該物理階層伝送情報要素に含まれたＣＩＤの数を示し、“CID”フィールドは、物理階層伝送情報要素が指示するチャンネルを介して伝送されるデータのＣＩＤを示す。“OFDMA symbol offset”フィールドは、フレーム内で当該データが伝送されるＯＦＤＭＡシンボルの開始位置を示し、“No. OFDMA symbols”フィールドは、そのＯＦＤＭＡシンボルの数を示す。“Subchannel offset”フィールドは、当該データが伝送されるチャンネルの開始位置を示し、“No. Subchannels”フィールドは、そのチャンネルの数を示す。“Boosting”フィールドは、当該データの伝送に使用される追加的な電力水準を示す。
【００１４】
本発明で放送サービスを提供するために、図１に示すような物理階層情報を用いて、物理階層フレーム内に放送サービスパケットの位置又は地点を記録する方法について説明する。
本発明では、物理階層伝送情報要素のフィールドのうち、ＣＩＤを含むか否かを示すINC_CIDフィールドの値を０に設定し、放送サービスパケットが伝送される位置をOFDMA Symbol offsetフィールド、No. OFDMA Symbolsフィールド、Subchannel offsetフィールド、No. Subchannelsフィールドを用いて示す方法を提案する。このような方法により設定された物理階層伝送情報要素を受信したＳＳは、INC_CIDフィールドの値が０であることから、OFDMA Symbol offsetフィールド、No. OFDMA Symbolsフィールド、Subchannel offsetフィールド、No.Subchannelsフィールドが指示する位置に伝送されるパケットが放送サービスパケットであることが分かる。また、ＳＳは、フィールドを用いて放送サービスパケットの位置が分かり、これからパケットを受信できる。ＳＳは、受信したパケットのＭＡＣ階層ヘッダで前述したＣＩＤを介して、当該放送が自身が受信したい放送か否かを判断する。受信したい放送の場合、上位階層に当該パケットを伝送し、受信したい放送でない場合、当該パケットを破棄する。
【００１５】
＜[２]連続的な放送サービスの受信方法＞
本発明の実施形態による高速の放送サービスシステムにおける放送コンテンツを送信する基本的な方法は、次の通りである。まず、放送サービスデータが放送サーバーから放送サービス制御機に伝送された場合、放送サービス制御機はこれをバッファに格納する。続いて、放送サービス制御機は、バッファに格納された当該データのサイズが所定のしきい値を超過する場合、又は、放送のサービス品質特性(ＱｏＳ；Quality of Service)を考慮して決定された伝送時点に、放送パケットを各セル内のＳＳに伝達する。このような方法を使用する場合、各放送が伝送される時点は、その放送サービスの伝送率や伝送遅延などの伝送特性が経時的に変化することになる。
ある放送サービスのサービス伝送率が瞬間的に増加又は減少する場合、当該放送サービスの伝送時点は瞬間的に速くなったり遅くなったりする。このように特定放送サービスの伝送時点が経時的に変化する場合、ＳＳはどの時点に放送パケットが伝送されるかが分からないため、順方向に伝送される放送チャンネルを常に監視しなければならない。これにより、ＳＳは、放送サービスの受信と関係ない下りリンク伝送フレームも受信及び処理するため、ＳＳの電力消耗量が大きく増加する。よって、以下では、放送サービスの受信電力の効率化について説明する。
【００１６】
＜[３]受信電力の効率化方法＞
以下では、本発明の実施形態による８０２.１６のようなシステムにおけるＳＳの放送サービスの受信時、放送サービスと関連した下りリンク伝送フレームだけを観察して、電力消耗量を低減できる準静的(Semi-Static)放送送受信技法について説明する。
【００１７】
＜(Ａ)放送伝送時点を固定して受信電力を効率化する方法＞
以下では、放送サービスを受信するＳＳの受信電力使用量を低減するために、本発明による準静的放送伝送技法を用いた放送送受信方法について説明する。
前述した方法により、放送サービス制御機は、サービス中である各放送サービスに対してその伝送時点を長い時間間隔に予め定めておく。続いて、放送サービス制御機は、伝送時点をＢＳを介してメッセージの形態にユニキャスト或いは放送に基づいて各ＳＳに伝達する。自身が受信したい放送サービスに対してその伝送時点を受信したＳＳは、アイドルモードやスリープモードに遷移することで、下りリンク受信に従う不要な電力消耗を低減できる。このとき、アイドルモードやスリープモードのＳＳは、アイドルモードやスリープモードで必ず受信すべき周期的なデータ以外に、受信したい放送が伝送される時点の下りリンクチャンネルを受信する。また、それ以外の時間では下りリンクチャンネルの受信を中断して放送サービス受信に従う電力消耗量を最小化できる。
【００１８】
このような方法によって放送サービスを受信するためのメッセージについて説明する。図２は、本発明の実施形態による準静的な放送トラフィック伝送方法を支援するＢＳからＳＳに伝送する放送設定メッセージ(MBS-CFG message)の構造図である。
図２に示すように、放送設定メッセージは、特定放送が伝送されるフレームと各伝送との間の周期を示し、再伝送に使用される連続したフレームの数を示すことで、このメッセージを受信したＳＳが下りリンクチャンネルを継続的に受信しなくても、ＳＳは特定放送の伝送位置が分かる。また、放送設定メッセージは、放送設定メッセージが伝送される次の時点を書き込むことで、このメッセージを受信したＳＳが下りリンクチャンネルを継続的に受信しなくても、放送設定メッセージを特定間隔毎に受信できる。放送サービス制御機は、このような放送設定メッセージの伝送間隔毎に特定放送の伝送時点を固定して使用することになり、伝送時点及び伝送方法を変更したい場合、次の放送設定メッセージの伝送に新しい伝送方法を指示する。続いて、放送サービス制御機は、放送設定メッセージを伝送した以後から、新しく指示した方法を用いて放送設定メッセージを伝送できる。
【００１９】
図２に示す各フィールドについて説明する。まず、放送設定メッセージの構造において、“Management Message Type”フィールドは、当該メッセージの種類を示すもので、放送設定メッセージに適合した特定値が使用され得る。“Next MBS-CFG transmission frame offset”フィールドは、放送設定メッセージが伝送される次の時点を示すものである。“N_MBS_Configuration”フィールドは、放送設定メッセージに含まれた放送伝送情報の数を示し、“MBS_Configuration_IE()”フィールドは、その詳細な放送伝送情報を示すブロックである。“MBS_Configuration_IE()”フィールドについては以下に詳細に説明する。“Padding nibble”フィールドは、メッセージを８ビット単位に作成するためにつくダミーフィールドである。
【００２０】
図３は、本発明の実施形態による放送設定ブロック(MBS_Configuration_IE)の内部構成図である。図３を参照して、放送設定ブロックの内部構成について説明する。
MBS_Configuration_IE()ブロックにおいて、“N_MBS”フィールドは、このブロックに含まれた放送サービスの数を示す。“MBS CID”フィールドは、“N_MBS”フィールドにより示された数だけMBS_Configuration_IE()ブロックに含まれ、特定放送に対応するＣＩＤを示す。“Physical Frequency”フィールドは、ＣＩＤに対応する放送サービスが伝送される周波数帯域情報を示す。“Transmission start frame offset”フィールドは、放送サービスが含まれた物理階層フレームと現在フレームとの間の間隔を示し、“Transmission frame length”フィールドは、放送伝送に使用される連続したフレームの数を示し、“Transmission frame period index”フィールドは、当該放送が次に伝送される周期を示す。
【００２１】
＜(Ｂ)物理階層フレーム内での放送データの位置指定による受信電力効率化方法＞
放送を受信したいＳＳの受信電力使用量を低減するために、放送が伝達される物理階層フレーム内で放送データの位置をＳＳに伝達する方法について説明する。本発明の実施形態による放送サービス制御機は、サービス中である各放送サービスに対し、その伝送時点と共に伝送時点の物理階層フレームで当該放送が伝達される位置を指定して、伝送時点に関する情報をＢＳを介してユニキャスト或いは放送に基づいて各ＳＳに伝達する。よって、ＳＳは、自身が受信したい放送サービスに対し、その伝送時点と共にフレーム内の伝送位置を受信する。その後、ＳＳは、当該放送の伝送時点で当該フレームを受信する時、予め指定された位置のチャンネルだけを受信することにより、放送が伝達される物理階層フレームの受信電力消耗量を最小化できる。また、ＳＳがアイドルモードやスリープモードで動作する場合、アイドルモードやスリープモードでＳＳが必ず受信すべき周期的なデータと共に、受信したい放送が伝送される時点の物理階層フレームで予め指定した位置のチャンネルだけを受信することにより、放送サービス受信に従う電力消耗量を最小化できる。
【００２２】
このように、放送サービスが伝送される時点の物理階層フレームで指定した位置のチャンネルだけを選択的に受信するには、前述した放送設定ブロックを相違に構成すべきである。図４は、本発明の第２の実施形態による放送サービスの提供時の放送設定ブロック(MBS_Configuration_IE)の構造を示す図である。
図４は、特定放送が伝送されるフレーム内の位置を表示するために、先に提案されたMBS_Configuration_IE()ブロックを修正した図である。特定MBS CIDに該当する放送が特定フレームで伝送されるシンボルの開始点OFDMA Symbol offsetフィールドと、シンボルの数No. OFDMA Symbolsフィールドと、その時点で使用するチャンネルの開始点Subchannel offsetフィールドと、チャンネルの数No. Subchannelsフィールドと、その伝送区間で使用される伝送類型DIUCフィールドとを、新しく示すことができる。
【００２３】
＜(Ｃ)放送受信過程＞
以上で説明した方法により放送トラフィックを効率良く送信／受信するための信号の流れについて説明する。図５は、本発明の実施形態による準静的な放送伝送方法を使用する場合の放送トラフィックを送信／受信する過程を示すフローチャートである。
図５によれば、段階５００において、ＳＳは、自身が受信したい特定放送に対し、当該放送に対するＣＩＤや暗号化情報などの放送関連情報を受信する。受信したい放送のＣＩＤを受信したＳＳは、段階５０２及び段階５０４において、放送設定メッセージの受信まで下りリンクチャンネルを連続受信して、ＣＩＤに伝送されたパケットを検査し、その検査の結果に従って放送を受信できる。下りリンクチャンネルを連続受信するＳＳは、段階５０６において、特定時点に伝送された放送設定メッセージを受信できる。この放送設定メッセージにはＳＳが受信したい放送の伝送時点情報(offset、length、period)が含まれているため、以後、ＳＳは下りリンクチャンネルを連続受信しなくても、次の放送の受信時点がわかり、段階５０８においてアイドルモードやスリープモードに遷移して電力消耗を低減できる。続いて、ＳＳは、段階５１０及び段階５１２において、受信した放送伝送時点情報を用いて伝送される放送サービスパケットをアイドルモードやスリープモードでも受信できる。
【００２４】
＜[４]動的な放送伝送方法で物理階層伝送情報要素を用いた受信電力効率の増大化方法＞
以下では、８０２.１６のようなシステムにおけるＳＳの放送サービスの受信時、放送サービスと関連した下りリンク伝送フレームだけを観察して電力消耗量を低減できる第２の実施形態を説明する。第２の実施形態では、放送の伝送時、放送が伝送される物理階層フレームの物理階層伝送情報要素を修正して伝送する方法が説明される。
【００２５】
＜(Ａ)物理階層伝送情報要素の修正による受信電力の効率を増大する方法＞
本発明の第２の実施形態では、放送を受信したいＳＳの受信電力使用量を低減するために、放送が伝達される物理階層フレームの物理階層伝送情報要素(ＤＬ−ＭＡＰ)部分に、そのフレームを介して伝送された放送サービスが次に伝達される時点を書き込む。これにより、物理階層フレームを受信したＳＳが連続的に下リンクチャンネルを受信しなくても、特定放送を受信するために下リンクチャンネルを観察すべき次の時点がわかるようにする方法である。すなわち、ＢＳが特定放送例えばＭＢＣ(Munhwa Broadcasting Corporation)やＫＢＳ(Korean Broadcasting System)を伝送する物理階層フレームの物理階層伝送情報要素の部分に、ＭＢＣが次に伝送される物理階層フレームの時点と、ＫＢＳが次に伝送される物理階層フレームの時点とを明示してセル内のＳＳに伝送する。続いて、時点情報を受信したＳＳは、ＭＢＣやＫＢＳの受信と共に、当該物理階層フレームに含まれている物理階層伝送情報要素を解析して、ＭＢＣやＫＢＳが伝送される次の時点情報を検出できる。
【００２６】
前述した方法を使用するためには、物理階層伝送情報要素BMAP_IEの構造を変更すべきである。図６は、本発明の第２の実施形態による放送サービスの伝送時点を報知するための物理階層伝送情報要素BMAP_IEの構造図である。図６を参照して、本発明の第２の実施形態による物理階層伝送情報要素BMAP_IEの構造について説明する。
図６に示すBMAP_IEの“Offset”フィールドは、当該フレーム内に含まれた放送が次に伝送されるフレームの位置と現在フレームとの差を示す。放送パケットが含まれたことを示す物理階層伝送情報要素を受信したＳＳは、当該フレームの放送パケットを受信でき、フレームに含まれたBMAP_IEを用いて当該放送が伝送される次のフレームの位置が分かる。
【００２７】
図７は、本発明の第２の実施形態による放送サービスの伝送時点を報知するための物理階層伝送情報要素BMAP_IEの他の構造図である。図７を参照して、物理階層伝送情報要素BMAP_IEの他の構造について説明する。
前述した“Offset”フィールドと共に、図７の物理階層伝送情報要素BMAP_IEに放送のＣＩＤが書き込まれる。このようなBMAP_IEを用いる場合、互いに異なるＣＩＤに該当する互いに異なる放送に対し、それぞれ異なる放送時点が書き込まれる。すなわち、一つのフレーム内に次の放送時点がそれぞれ異なる放送に対してBMAP_IEを別に書き込むことで、異なる放送の互いに異なる放送時点を正確に表現できる。
【００２８】
＜(Ｂ)ＭＡＣ階層ヘッダの構造修正による受信電力効率の増大化方法＞
本発明では、放送を受信したいＳＳの受信電力使用量を低減するために、ＢＳが送信する放送パケットのＭＡＣ階層ヘッダ部分に、そのパケットに伝送された放送サービスが次に伝達される時点に関する情報を書き込む。これにより、物理階層フレームを受信したＳＳが下りリンクチャンネルを継続的に受信しなくても、特定放送を受信するために下りリンクチャンネルを観察すべき次の時点がわかるようにする方法である。すなわち、ＢＳが特定放送例えばＭＢＣやＫＢＳを含む両方のＭＡＣ階層パケットを一つの物理階層フレームに伝送する時、ＭＢＣを含んでいるＭＡＣ階層パケットのヘッダ部分にＭＢＣが次に伝送される物理階層フレームの時点を明示し、ＫＢＳを含んでいるＭＡＣ階層パケットのヘッダ部分にＫＢＳが次に伝送される物理階層フレームの時点を明示して、各セル内のＳＳに伝送する。よって、このような情報を受信したＳＳはＭＢＣやＫＢＳの受信と共に、当該ＭＡＣ階層パケットの情報を解析して、ＭＢＣやＫＢＳが伝送される次の物理階層フレームの時点情報を検出できる。
【００２９】
なお、このような方法を説明するために、８０２.１６システムで使用されるＭＡＣ階層のヘッダ構造について説明する。図８は、８０２.１６システムで使用されるＭＡＣ階層のヘッダ構造を示す図である。
図８に示す“HT(Header Type)”フィールドは、ヘッダの種類を示し、“EC(Encryption Control)”フィールドは、暗号化が使用されたか否かを示す。また、６ビットの“Type”フィールドは、サブヘッダの種類やＭＡＣ階層パケットの構造を示し、“CI(CRC Indicator)”フィールドは、ＣＲＣがＭＡＣ階層パケットに添付されたか否かを示す。“EKS(Encryption Key Sequence)”フィールドは、暗号化キーの順序情報を示し、“RSV(Reserved)”フィールドは、今後利用のために現在使用しないものを示す。“LEN”フィールドは、ＭＡＣ階層パケットの長さを示し、“CID”フィールドは、当該ＭＡＣ階層パケットに該当するＣＩＤを示す。“HCS(Header Check Sequence)”フィールドは、ヘッダに対するエラーをチェックするためのチェックサム(checksum)の役割をするものを示す。
【００３０】
本発明では、放送パケットに対するＭＡＣ階層のヘッダにおいて、“Type”フィールドの特定ビット例えば０番ビットや４番ビットの値が１に設定された時、或いは、２つのＲＳＶフィールドの一つの値が１に設定された時、当該放送の次の伝送時点を示すサブヘッダとして使用する。
このようなサブヘッダを使用するための方法を説明する。図９は、本発明の実施形態による放送トラフィックの次の伝送時点を示すＭＡＣ階層ヘッダの構造を示す図である。
図９に示すように、本発明の実施形態によるＭＡＣ階層ヘッダは、８ビットの“Offset”フィールドが追加される新しいＭＡＣ階層ヘッダの構造である。“Offset”フィールドは、ＭＡＣ階層パケットを介して伝達される放送が次に伝送されるフレームと現在フレームとの間の間隔を示すフィールドとして使用される。
したがって、ＭＡＣ階層ヘッダを受信したＳＳは、当該連結識別子(MBS CID)に該当する放送が次に伝送される時点を“Offset”フィールドから分かる。すなわち、ＳＳは、現在放送を受信したフレームがｎ番目フレームである場合、その放送が次に到着するフレームは(n+Offset)mod２２４(＝最大フレーム番号＋１)番目フレームになることが分かる。
【００３１】
＜(Ｃ)物理階層伝送情報要素を用いて受信電力を効率化して放送を受信する過程＞
次に、動的な放送伝送方法で物理階層伝送情報要素を用いたＳＳとＢＳとの間の放送パケットの送信／受信過程について説明する。
図１０は、本発明の第２の実施形態によって動的な放送伝送方法を使用するＳＳとＢＳとの間の放送パケットの送信／受信時の信号フローチャートである。
段階１０００において、ＳＳは、自身が受信したい特定放送に対し、当該放送に対するＣＩＤや暗号化情報などの放送関連情報を受信する。このように、受信したい放送のＣＩＤを受信したＳＳは、段階１００２において、当該放送パケットを最初に受信するまで下りリンクチャンネルを連続的に受信する。下りリンクチャンネルを連続的に受信するＳＳは、段階１００４において、受信したい放送の最初のパケットを受信し、そのパケットのＭＡＣ階層ヘッダに含まれた次の伝送時点情報(Offset)が得られる。当該放送の次の伝送時点を受信したＳＳは、下りリンクチャンネルを連続的に受信しなくても、放送の受信時点がわかる。したがって、ＳＳは、段階１００６において、アイドルモードやスリープモードに遷移して電力消耗を低減できる。続いて、ＳＳは、段階１００８において、受信した放送伝送時点情報を用いてその次の放送パケットを受信でき、そのパケットのＭＡＣ階層ヘッダにおいてさらに次の放送パケットの伝送時点情報を獲得できる。よって、ＳＳは、段階１０１０及び段階１０１２において、伝達される放送パケットを受信できる。このような方式により、ＳＳは、アイドルモードやスリープモードでも、受信したい放送パケットを連続的に受信できる。
【００３２】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３３】
【図１】８０２.１６システムで使用する一般の物理階層伝送情報要素の構造を示す図である。
【図２】本発明の実施形態による準静的な放送トラフィック伝送方法を支援するＢＳからＳＳに伝送する放送設定メッセージ(MBS-CFG message)の構造を示す図である。
【図３】本発明の実施形態による放送設定ブロック(MBS_Configuration_IE)の内部構成図である。
【図４】本発明の第２の実施形態による放送サービスの提供時に使用される放送設定ブロック(MBS_Configuration_IE)の構造を示す図である。
【図５】本発明の実施形態による準静的な放送伝送方法を使用する場合の放送トラフィックを送信／受信する過程を示すフローチャートである。
【図６】本発明の第２の実施形態による放送サービスの伝送時点を報知するための物理階層伝送情報要素BMAP_IEの構造を示す図である。
【図７】本発明の第２の実施形態による放送サービスが伝送される時点を報知するための物理階層伝送情報要素BMAP_IEの他の構造を示す図である。
【図８】８０２.１６システムで使用される媒体接続制御階層ヘッダの構造を示す図である。
【図９】本発明の実施形態による放送トラフィックの次の伝送時点を示す媒体接続制御階層ヘッダの構造を示す図である。
【図１０】本発明の第２の実施形態による動的な放送伝送方法を使用する場合のＳＳとＢＳとの間の放送パケットの送信／受信を示すフローチャートである。
【符号の説明】
【００３４】
ＳＳ  端末
【図１】
2007536791.tif 000003
【図２】
2007536791.tif 000004
【図３】
2007536791.tif 000005
【図４】
2007536791.tif 000006
【図５】
2007536791.tif 000007
【図６】
2007536791.tif 000008
【図７】
2007536791.tif 000009
【図８】
2007536791.tif 000010
【図９】
2007536791.tif 000011
【図１０】
2007536791.tif 000012
【国際調査報告】
2007536791.tif 000013
2007536791.tif 000014
2007536791.tif 000015